【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
コンピューティングデバイスおよびラベルプリンタを含むシステムを使用して、出荷ラベルの印刷を容易にする方法であって、方法は、
コンピューティングデバイスによって、遠隔のコンピューティングデバイスから、１つまたは複数のネットワークを介して、出荷データベースデータを受信することであって、遠隔のコンピューティングデバイスが、コンピューティングデバイスから離れて配置されている、ことと、
コンピュータデバイスによって、出荷データベースデータを出荷データベースに格納することと、
コンピューティングデバイスによって、スキャンデバイスからのスキャンデータを受信することであって、スキャンデータが、物体に関連付けられている、ことと、
コンピューティングデバイスによって、物体の出荷データが出荷データベースにあるかどうかを決定することと、
物体の出荷データが出荷データベースにあるかどうかに基づいて、物体の出荷情報をコンピューティングデバイスによって決定することと、
コンピューティングデバイスによって、出荷情報をラベルプリンタに送信することであって、物体の出荷情報が、物体の出荷データが出荷データベースにあるかどうかに基づく、ことと、
ラベルプリンタがコンピューティングデバイスから出荷情報を受信したことに応答して、出荷情報に基づいて、ラベルプリンタによって、物体の出荷ラベルを印刷することとを備えた、方法。
【請求項２】
物体の出荷データが出荷データベースにあるかどうかを決定することが、物体の完全な出荷データが出荷データベースにあることをコンピューティングデバイスによって決定することを備え、物体の出荷情報が、完全な出荷データを含んでいる、請求項１に記載の方法。
【請求項３】
物体の出荷データが出荷データベースにあるかどうかを決定することが、出荷データベースが物体の不完全な出荷データを収容しているか、または物体の出荷データを収容していないかのいずれかであることをコンピューティングデバイスによって決定することを備え、物体の出荷情報が、共通の例外の出荷データを含んでいる、請求項１に記載の方法。
【請求項４】
出荷データベースデータを受信すること、および、出荷データベースに出荷データベースデータを格納することが、スキャンデバイスからスキャンデータを受信する前に発生する、請求項１に記載の方法。
【請求項５】
スキャンデータが、物体の固有の識別子、物体の最小在庫管理単位（ＳＫＵ）番号、物体のモデル番号、物体のシリアル番号、または物体の画像のうちの１つまたは複数を含んでいる、請求項１に記載の方法。
【請求項６】
物体の出荷データが出荷データベースにあるかどうかを決定する前に、スキャンデバイスから受信したスキャンデータに基づいて、コンピューティングデバイスによって物体を識別することをさらに備えた、請求項１に記載の方法。
【請求項７】
スキャンデバイスが、バーコードスキャナ、無線周波数識別（ＲＦＩＤ）スキャナ、またはカメラのうちの１つまたは複数を含んでいる、請求項１に記載の方法。
【請求項８】
システムが、１つまたは複数のメモリを含み、出荷データベースが、１つまたは複数のメモリ内に配置されている、請求項１に記載の方法。
【請求項９】
システムが、スキャンデバイスをさらに備えた、請求項１に記載の方法。
【請求項１０】
システムが、出荷施設内に配置され、ラベルプリンタが、出荷施設内の出荷ラインに沿ってスキャンデバイスの下流に配置されている、請求項９に記載の方法。
【請求項１１】
コンピューティングデバイスによって、出荷施設から梱包または出荷された物体を示す定期報告を、販売者に代わって生成することと、
コンピューティングデバイスによって、販売者に関連付けられた遠隔のコンピューティングデバイスに定期報告を送信することとをさらに備えた、請求項１０に記載の方法。
【請求項１２】
出荷ラベルの印刷を容易にするための命令を記憶した非一時的なコンピュータ可読媒体であって、命令は、コンピューティングデバイス内の処理要素による実行に応答して、コンピューティングデバイスに、
遠隔のコンピューティングデバイスから、１つまたは複数のネットワークを介して、出荷データベースデータを受信させ、遠隔のコンピューティングデバイスが、コンピューティングデバイスから離れて配置されており、
出荷データベースデータを、出荷データベースに格納させ、
スキャンデータを、スキャンデバイスから受信させ、スキャンデータが、物体に関連付けられており、
物体の出荷データが出荷データベースにあるかどうかを決定させ、
物体の出荷データが出荷データベースにあるかどうかに基づいて、物体の出荷情報を決定させ、
出荷情報に基づいて、出荷ラベルを作成させる、非一時的なコンピュータ可読媒体。
【請求項１３】
命令が、処理要素による実行に応答して、コンピューティングデバイスにさらに
作成された出荷ラベルをラベルプリンタに送信させ、ラベルプリンタが作成された出荷ラベルをコンピューティングデバイスから受信したことに応答して、作成された出荷ラベルに基づいて物体の出荷ラベルを印刷するようにラベルプリンタが構成された、請求項１２に記載の非一時的なコンピュータ可読媒体。
【請求項１４】
物体の出荷データが出荷データベースにあるかどうかをコンピューティングデバイスに決定させる命令が、コンピューティングデバイスに、物体の完全な出荷データが出荷データベースにあることを決定させる命令を備え、物体の出荷情報が、完全な出荷データを含んでいる、請求項１２に記載の非一時的なコンピュータ可読媒体。
【請求項１５】
物体の出荷データが出荷データベースにあるかどうかをコンピューティングデバイスに決定させる命令が、出荷データベースが物体の不完全な出荷データを収容しているか、または、物体の出荷データを収容していないかのいずれかであることを、コンピューティングデバイスに決定させる命令を備え、物体の出荷情報が、共通の例外の出荷データを含んでいる、請求項１２に記載の非一時的なコンピュータ可読媒体。
【請求項１６】
命令が、処理要素による実行に応答して、コンピューティングデバイスに、スキャンデバイスからスキャンデータを受信する前に、出荷データベースデータを受信させ、出荷データベースデータを出荷データベースに格納させる、請求項１２に記載の非一時的なコンピュータ可読媒体。
【請求項１７】
命令が、処理要素による実行に応答して、コンピューティングデバイスに
物体の出荷データが出荷データベースにあるかどうかを決定する前に、スキャンデバイスから受信したスキャンデータに基づいて物体をさらに識別させる、請求項１２に記載の非一時的なコンピュータ可読媒体。
【請求項１８】
出荷ラベルの印刷を容易にするシステムであって、システムは、
コンピューティングデバイスと、
コンピューティングデバイスに通信可能に結合されたラベルプリンタとを備え、
コンピューティングデバイスが、
遠隔のコンピューティングデバイスから、１つまたは複数のネットワークを介して、出荷データベースデータを受信し、遠隔のコンピューティングデバイスが、コンピューティングデバイスから離れて配置されており、
出荷データベースデータを、出荷データベースに格納し、
スキャンデータをスキャンデバイスから受信し、スキャンデータが、物体に関連付けられており、
物体の出荷データが出荷データベースにあるかどうかを決定し、
物体の出荷データが出荷データベースにあるかどうかに基づいて、物体の出荷情報を決定し、
出荷情報をラベルプリンタに送信し、物体の出荷情報が、物体の出荷データが出荷データベースにあるかどうかに基づく、ように構成され、
ラベルプリンタがコンピュータから出荷情報を受信したことに応答して、出荷情報に基づいて物体の出荷ラベルを印刷するようにラベルプリンタが構成された、システム。
【請求項１９】
コンピューティングデバイスが、物体の完全な出荷データが出荷データベースにあることを決定することによって、物体の出荷データが出荷データベースにあるかどうかを決定するように構成され、物体の出荷情報が、完全な出荷データを含んでいる、請求項１８に記載のシステム。
【請求項２０】
出荷データベースが物体の不完全な出荷データを収容しているか、または物体の出荷データを収容していないかのいずれかであることを決定することによって、物体の出荷データが出荷データベースにあるかどうかをコンピューティングデバイスが決定するように構成され、物体の出荷情報が、共通の例外の出荷データを含んでいる、請求項１８に記載のシステム。
【請求項２１】
コンピューティングデバイスが、スキャンデバイスからスキャンデータを受信する前に、出荷データベースデータを受信し、出荷データベースデータを出荷データベースに格納するように構成された、請求項１８に記載のシステム。
【請求項２２】
コンピューティングデバイスが、物体の出荷データが出荷データベースにあるかどうかを決定する前に、スキャンデバイスから受信したスキャンデータに基づいて物体を識別するようにさらに構成された、請求項１８に記載のシステム。
【請求項２３】
システムが、スキャンデバイスをさらに備えた、請求項１８に記載のシステム。
【請求項２４】
システムが、出荷施設内に配置され、ラベルプリンタが、出荷施設内の出荷ラインに沿って、スキャンデバイスの下流に配置されている、請求項２３に記載のシステム。
【請求項２５】
出荷施設が、物体の特性を決定するように構成された１つまたは複数のセンサを含む、請求項２４に記載のシステム。
【請求項２６】
コンピューティングデバイスが、
１つまたは複数のセンサから１つまたは複数の物体に関するセンサデータを受信するように、および、
出荷施設に配置されたメモリにセンサデータを記憶すること、
１つまたは複数の物体の販売者に関連付けられた遠隔のコンピューティングデバイスにセンサデータを送信すること、または、
センサデータを、物流パートナに関連付けられた遠隔のコンピューティングデバイスに送信することのうちの１つまたは複数を実施するように構成された、請求項２５に記載のシステム。
【請求項２７】
注文の出荷ラベルを取得する方法であって、方法は、
コンピューティングデバイスによって、注文の通知を受信することと、
コンピューティングデバイスによって、注文の出荷データを取得することと、
コンピューティングデバイスによって、出荷データを第１の遠隔のコンピューティングデバイスに送信することであって、第１の遠隔のコンピューティングデバイスが、注文の出荷ラベルを生成し、出荷ラベルをコンピューティングデバイスに送信するように構成される、ことと、
コンピューティングデバイスによって、第１の遠隔のコンピューティングデバイスから出荷ラベルを受信することと、
コンピューティングデバイスによって、第１の遠隔のコンピューティングデバイスから受信した出荷ラベルを格納することとを備えた、方法。
【請求項２８】
物体を示すスキャンデータをコンピュータデバイスによって受信することであって、
物体が注文に関連付けられている、ことと、
コンピューティングデバイスがスキャンデータを受信することに応答して、コンピューティングデバイスによって、出荷ラベルをラベルプリンタに送信することとをさらに備えた、請求項２７に記載の方法。
【請求項２９】
コンピューティングデバイスが出荷ラベルをラベルプリンタに送信する前に、コンピューティングデバイスによって、物体が注文に関連付けられていることを決定することをさらに備えた、請求項２８に記載の方法。
【請求項３０】
コンピューティングデバイスが出荷データを取得する前に、出荷データベースが注文の出荷データを含んでいるかどうかをコンピューティングデバイスによって決定することをさらに備え、
出荷データベースが、コンピューティングデバイスまたはローカルネットワークを介してコンピューティングデバイスに通信可能に結合された別のコンピューティングデバイスのうちの１つに配置されている、請求項２７に記載の方法。
【請求項３１】
コンピューティングデバイスが、出荷データベースが出荷データベースを含まないことを決定し、方法が、
コンピューティングデバイスによって、第２の遠隔のコンピューティングデバイスからの出荷データの要求を送信することであって、第２の遠隔のコンピューティングデバイスが、要求を受信することに応答して、出荷データをコンピューティングデバイスに送信するように構成される、ことと、
コンピューティングデバイスによって、第２の遠隔のコンピューティングデバイスから、出荷データを受信することとをさらに備えた、請求項３０に記載の方法。
【請求項３２】
コンピューティングデバイスが、出荷データベースが出荷データベースを含むことを決定し、方法が、
コンピューティングデバイスによって、出荷データベースから出荷データを検索することをさらに備えた、請求項３０に記載の方法。